(57)【要約】【課題】紙巻き煙草パッケージを生産する方法および装置を提供する。【解決手段】紙巻き煙草の組（Ｇ）の周りに巻き付けられたヒートシール材料のシート（３′）によって画定されており、かつ、接着性パッチ（７）によって閉じられている開口を有する、内側包装材（３）を有する紙巻き煙草パッケージ（２）を生産する方法および装置であって、および、このパッチ（７）の適正な位置が、このパッチ（７）がヒートシール材料のシート（３′）に貼り付けられた後に検出される。【選択図】図７
2007091345.tif 000002
【特許請求の範囲】
【請求項１】
包装された紙巻き煙草の組（４）を形成するために紙巻き煙草の組（Ｇ）の周りに巻き付けられたヒートシール材料のシート（３′）を備える内側包装材（３）と、前記包装された紙巻き煙草の組（４）の周りに巻き付けられた、好ましくは薄い板紙である外側容器（５）とを備える、紙巻き煙草パッケージを生産する方法であって、
ヒートシール材料のストリップ（９）を供給経路（Ｐ）に沿って供給する供給段階と、
前記ストリップ（９）内にスリット（６）を形成する段階と、
前記スリット（６）上に接着性パッチ（７）を貼り付ける第１の貼り付け段階と、
前記スリット（６）と前記パッチ（７）とが付いた前記シート（３′）を前記ストリップ（９）から切断する切断段階と、
前記包装された紙巻き煙草の組（４）を形成するために前記紙巻き煙草の組（Ｇ）の周りに前記シート（３′）を巻き付ける巻き付け段階と、
前記紙巻き煙草の組（Ｇ）の周りに巻き付けられた前記シート（３′）の重なり合い部分（Ｔ）を封止する封止段階と、
前記外側容器（５）の内側に前記包装された紙巻き煙草の組（４）を挿入する挿入段階と、
を含む紙巻き煙草パッケージを生産する方法において、
前記貼り付けられたパッチ（７）の適正な位置決めを決定するための制御段階を備えており、および、前記制御段階は前記巻き付け段階に先行することを特徴とする、
紙巻き煙草パッケージを生産する方法。
【請求項２】
前記制御段階は前記切断段階に先行する請求項１に記載の方法。
【請求項３】
前記制御段階は、拡散光で前記スリット（６）の周りの区域を照明することを含む請求項１または２に記載の方法。
【請求項４】
前記制御段階は、前記供給経路（Ｐ）に対してほぼ平行な前記パッチ（７）の第１の端縁（３３）の位置を、前記ストリップ（９）の端縁（３２）の位置と比較することを含む請求項１から３のいずれか一項に記載の方法。
【請求項５】
前記第１の端縁（３３）の位置は、前記第１の端縁（３３）の少なくとも２つの個別の区域（Ｌ１、Ｌ２）内で検出される請求項４に記載の方法。
【請求項６】
前記制御段階は、前記供給経路（Ｐ）に対して交差している前記パッチ（７）の第２の端縁（３４）の位置を、前記ストリップ（９）上にプリントされた要素（３１）に対して比較することを含む請求項１から５のいずれか一項に記載の方法。
【請求項７】
前記供給段階において、前記ストリップ（９）は、吸引ベルト（３５）を備えるコンベヤ（８）によって前記供給経路（Ｐ）に沿って供給され、および、前記第１の貼り付け段階は第１の貼り付けステーション（１２）において行われ、前記第１の貼り付けステーション（１２）の中を通過して前記吸引ベルト（３５）が移動する請求項１から６のいずれか一項に記載の方法。
【請求項８】
前記制御段階において前記パッチ（７）が不適正に位置決めされていることが発見される場合に前記シート（３′）を排除する排除段階を含む請求項１から７のいずれか一項に記載の方法。
【請求項９】
前記排除段階は前記巻き付け段階に先行する請求項８に記載の方法。
【請求項１０】
前記排除段階は前記封止段階に先行する請求項８に記載の方法。
【請求項１１】
前記第１の貼り付け段階の後に前記ストリップ（９）上の前記パッチ（７）の存在を検出するための検出段階と、前記検出段階において前記パッチ（７）が前記スリット（６）上で検出されない場合に前記スリット（６）上にパッチ（７）を貼り付ける第２の貼り付け段階とを含み、および、前記第２の貼り付け段階は、前記切断段階に先行し、かつ、前記検出段階に後続する請求項１から１０のいずれか一項に記載の方法。
【請求項１２】
前記供給段階において、前記ストリップ（９）は、吸引ベルト（３５）を備えるコンベヤ（８）によって前記供給経路（Ｐ）に沿って供給され、および、前記第１および第２の貼り付け段階は、前記吸引ベルト（３５）において前記供給経路（Ｐ）に沿って配置されている第１および第２の貼り付けステーション（１２、１３）においてそれぞれに行われる請求項１１に記載の方法。
【請求項１３】
少なくとも１つのパッチ（７）を剥離可能な形で支持する少なくとも１つの別のストリップ（３９）が、前記供給経路（Ｐ）に対して実質的に交差する方向において前記供給経路（Ｐ）に供給される請求項１から１２のいずれか一項に記載の方法。
【請求項１４】
前記重なり合い部分（Ｔ）は、ほぼ固定された発生器（４７）によって発生される振動電磁界によって生じさせられる電磁誘導によって封止され、および、前記封止段階において、非導電性材料の可動部材（４８）が、前記重なり合い部分を適正に重なり合った状態に保つために前記重なり合い部分（Ｔ）と接触させられ、および、前記シート（３′）は、少なくとも部分的に導電性である材料で作られている請求項１から１３のいずれか一項に記載の方法。
【請求項１５】
前記パッチ（７）は、前記供給経路（Ｐ）と前記ストリップ（９）の表面（２５）とに交差する少なくとも１つの空気ジェットによって、前記ストリップ（９）に貼り付けられる請求項１から１４のいずれか一項に記載の方法。
【請求項１６】
前記パッチ（７）は、前記ストリップ（９）に貼り付けられる直前に、吸引によって前記ストリップ（９）に対して平行に維持される請求項１５に記載の方法。
【請求項１７】
前記パッチは吸引によって前記ストリップ（９）上に保持され、および、前記空気ジェットは前記パッチ（７）を前記スリット（６）上に下方に吹き付け、および、前記空気ジェットはほぼ垂直である請求項１６に記載の方法。
【請求項１８】
包装された紙巻き煙草の組（４）を形成するために紙巻き煙草の組（Ｇ）の周りに巻き付けられたヒートシール材料のシート（３′）を備える内側包装材（３）と、前記包装された紙巻き煙草の組の周りに巻き付けられた、好ましくは薄い板紙である外側容器（５）とを備える、紙巻き煙草パッケージを生産する方法であって、
ヒートシール材料のストリップ（９）を供給経路（Ｐ）に沿って供給する供給段階と、
前記ストリップ（９）内にスリット（６）を形成する段階と、
前記スリット（６）上に接着性パッチ（７）を貼り付ける第１の貼り付け段階と、
前記スリット（６）と前記パッチ（７）とが付いた前記シート（３′）を前記ストリップ（９）から切断する切断段階と、
前記包装された紙巻き煙草の組（４）を形成するために前記紙巻き煙草の組（Ｇ）の周りに前記シート（３′）を巻き付ける巻き付け段階と、
前記紙巻き煙草の組（Ｇ）の周りに巻き付けられた前記シート（３′）の重なり合い部分（Ｔ）を封止する封止段階と、
前記外側容器（５）の内側に前記包装された紙巻き煙草の組（４）を挿入する挿入段階と、
を含む紙巻き煙草パッケージを生産する方法において、
前記スリット（６）上の前記パッチ（７）の存在を検出するための、前記第１の貼り付け段階の後の検出段階と、パッチ（７）が前記検出段階で前記スリット（６）上に検出されない場合に前記スリット（６）上にパッチ（７）を貼り付けるための第２の貼り付け段階とを含み、および、前記第２の貼り付け段階は前記切断段階に先行し、かつ、前記検出段階に後続することを特徴とする、紙巻き煙草パッケージを生産する方法。
【請求項１９】
紙巻き煙草の組（Ｇ）の周りに巻き付けられたヒートシール材料のシート（３′）を備える内側包装材（３）を備える紙巻き煙草パッケージを生産する方法であって、
ヒートシール材料のストリップ（９）を供給経路（Ｐ）に沿って供給する供給段階と、
前記ストリップ（９）内にスリット（６）を形成する段階と、
前記スリット（６）上に接着性パッチ（７）を貼り付ける貼り付け段階と、
前記スリット（６）と前記パッチ（７）とが付いた前記シート（３′）を前記ストリップ（９）から切断する切断段階と、
前記包装された紙巻き煙草の組（４）を形成するために前記紙巻き煙草の組（Ｇ）の周りに前記シート（３′）を巻き付ける巻き付け段階と、
前記紙巻き煙草の組（Ｇ）の周りに巻き付けられた前記シートの重なり合い部分（Ｔ）を封止する封止段階と、
を含む紙巻き煙草パッケージを生産する方法において、
前記供給段階において、前記ストリップは、吸引ベルト（３５）を備えるコンベヤ（８）によって前記供給経路（Ｐ）に沿って供給され、および、前記貼り付け段階は、前記吸引ベルト（３５）において前記供給経路（Ｐ）に沿って配置されている貼り付けステーション（１２）において行われることを特徴とする、紙巻き煙草パッケージを生産する方法。
【請求項２０】
ヒートシール材料の包装材（３）を備える紙巻き煙草パッケージを生産する方法であって、
物品、特に紙巻き煙草の組（Ｇ）の周りに少なくとも部分的に導電性であるヒートシール材料のシート（３′）を巻き付ける段階と、
前記紙巻き煙草の組（Ｇ）の周りに巻き付けられた前記シート（３′）の重なり合い部分（Ｔ）を封止する封止段階と、
を含む紙巻き煙草パッケージを生産する方法において、
前記重なり合い部分（Ｔ）は、ほぼ固定された発生器（４７）によって発生される可変電磁界によって生じさせられる電磁誘導によって封止され、および、前記封止段階において、非導電性材料の可動部材（４８）が、前記重なり合い部分（Ｔ）を適正に重なり合った状態に保つために、前記重なり合い部分（Ｔ）と接触させられることを特徴とする、紙巻き煙草パッケージを生産する方法。
【請求項２１】
紙巻き煙草の組（Ｇ）の周りに巻き付けられたヒートシール材料のシート（３′）を備える内側包装材（３）を備える紙巻き煙草パッケージを生産する方法であって、
ヒートシール材料のストリップ（９）を供給経路（Ｐ）に沿って供給する供給段階と、
前記ストリップ（９）内にスリット（６）を形成する段階と、
前記スリット（６）上に接着性パッチ（７）を貼り付ける貼り付け段階と、
前記スリット（６）と前記接着性パッチ（７）とが付いた前記シートを前記ストリップ（９）から切断する切断段階と、
包装された紙巻き煙草の組（４）を形成するために前記紙巻き煙草の組（Ｇ）の周りに前記シート（３′）を巻き付ける巻き付け段階と、
前記紙巻き煙草の組（Ｇ）の周りに巻き付けられた前記シート（３′）の重なり合い部分（Ｔ）を封止する封止段階
とを含む紙巻き煙草パッケージを生産する方法において、
前記パッチ（７）は、前記供給経路（Ｐ）と前記ストリップ（９）の表面（２５）とに交差する少なくとも１つの空気ジェットによって、前記ストリップ（９）に貼り付けられることを特徴とする、紙巻き煙草パッケージを生産する方法。
【請求項２２】
包装された紙巻き煙草の組（４）を形成するために紙巻き煙草の組（Ｇ）の周りに巻き付けられたヒートシール材料のシートを備える内側包装材と、前記包装された紙巻き煙草の組（４）の周りに巻き付けられた、好ましくは薄い板紙である外側容器（５）とを備える、紙巻き煙草パッケージを生産する装置（１）であって、
ヒートシール材料のストリップ（９）を、供給経路（Ｐ）に沿って、スリット形成ステーション（１１）と第１の貼り付けステーション（１２）との中を通して切断ステーション（１０）に供給するコンベヤ（８）と、
前記ストリップ（９）内にスリット（６）を形成するための、前記スリット形成ステーション（１１）に配置されている作業ユニット（１５）と、
前記スリット（６）上に接着性パッチ（７）を貼り付けるための、前記第１の貼り付けステーション（１２）に配置されている第１の貼り付けユニット（１６）と、
前記スリット（６）と前記パッチ（７）とが付いた前記シート（３′）を前記ストリップ（９）から切断するための、前記切断ステーション（１０）に配置されている切断アセンブリ（４２）と、
前記包装された紙巻き煙草の組（４）を形成するために前記紙巻き煙草の組（Ｇ）の周りに前記シートを巻き付ける巻き付けアセンブリ（４３）と、
前記紙巻き煙草の組（Ｇ）の周りに巻き付けられた前記シート（３′）の重なり合い部分（Ｔ）を封止する封止アセンブリ（４４）と、
前記外側容器（５）の内側に前記包装された紙巻き煙草の組（４）を挿入する包装アセンブリ（５０）と、
を含む紙巻き煙草パッケージを生産する装置において、
前記スリット（６）上の前記パッチ（７）の適正な位置決めを検出するための制御ユニット（２３）を含み、および、前記制御ユニット（２３）は、前記巻き付けアセンブリ（４３）から上流に配置されていることを特徴とする、
紙巻き煙草パッケージを生産する装置。
【請求項２３】
前記制御ユニット（２３）は、前記供給経路（Ｐ）に沿って前記切断アセンブリ（４２）から上流に配置されている請求項２２に記載の装置。
【請求項２４】
前記制御ユニット（２３）は、検出器（２４）と、拡散光によって前記ストリップ（９）の表面（２５）を照明するための照明手段（２６、２７）とを備える請求項２２または２３に記載の装置。
【請求項２５】
前記照明手段（２６、２７）は、凹形表面（２８）が前記供給経路（Ｐ）に面して配置されているカバー（２７）と、前記供給経路（Ｐ）の互いに反対側に配置されている少なくとも２つの光源（２６）とを備え、前記光源（２６）は前記凹形表面（２８）の上に光を向け、および、前記凹形表面（２８）は、使用時に前記ストリップ（９）の前記表面（２５）を照明するために前記光を反射する請求項２４に記載の装置。
【請求項２６】
前記カバー（２７）と前記検出器（２４）は前記供給経路（Ｐ）の上方に配置されている請求項２５に記載の装置。
【請求項２７】
前記検出器（２４）は前記パッチ（７）の端縁（３３、３４）の位置を検出する請求項２４から２６のいずれか一項に記載の装置。
【請求項２８】
前記制御ユニット（２３）は前記スリット（６）の存在を検出する請求項２２から２５のいずれか一項に記載の装置。
【請求項２９】
照明装置（２９）と検出器（２４）とを備え、前記照明装置（２９）と前記検出器は前記供給経路（Ｐ）の互いに反対側に配置されており、および、前記検出器（２４）は、前記スリット（６）の中を通過して進む光を検出する請求項２２から２８のいずれか一項に記載の装置。
【請求項３０】
前記コンベヤ（８）は、前記第１の貼り付けステーション（１２）の中を通して前記ストリップ（９）を供給するための吸引ベルト（３５）を備える請求項２２から２９のいずれか一項に記載の装置。
【請求項３１】
前記制御ユニット（２３）の検出に基づいて前記シート（３′）を排除するための排除ユニット（５２）を備える請求項２２から３０のいずれか一項に記載の装置。
【請求項３２】
前記供給経路（Ｐ）に沿って前記第１の貼り付けユニット（１６）から下流に配置されている第２の貼り付けユニット（１７）を備え、前記第２の貼り付けユニットは、前記第１の貼り付けユニット（１６）によって前記スリット（６）上にパッチ（７）が貼り付けられない場合に、前記スリット（６）上に前記パッチ（７）を貼り付ける請求項２２から３１のいずれか一項に記載の装置。
【請求項３３】
前記ストリップ（９）上の前記パッチ（７）の存在を検出するために前記供給経路（Ｐ）に沿って前記第１の貼り付けステーション（１２）から下流に配置されている検出ユニット（１８）をさらに備え、前記第２の貼り付けユニット（１７）は、前記供給経路（Ｐ）に沿って前記検出ユニット（１８）から下流に配置されており、および、前記検出ユニット（１８）が使用時に前記スリット上でパッチを検出しない場合に前記スリット（６）上にパッチ（７）を貼り付ける請求項３２に記載の装置。
【請求項３４】
前記第１の貼り付けユニット（１６）は、前記供給経路（Ｐ）に対して実質的に交差した方向に前記第１の貼り付けステーション（１２）に対して、少なくとも１つのパッチ（７）を剥離可能な形で支持する別のストリップ（３９）を供給するための供給アセンブリ（３８）を備える請求項２２から３３のいずれか一項に記載の装置。
【請求項３５】
前記封止アセンブリ（４４）は、少なくとも１つの振動電磁界発生器（４７）と、非導電性材料の少なくとも１つの可動部材（４８）と、前記重なり合い部分（Ｔ）を適正に重なり合った状態に保つように、前記可動部材（４８）を移動させて前記重なり合い部分（Ｔ）と接触させる駆動手段（４９）とを備え、前記発生器（４７）はほぼ固定されている請求項２２から３４のいずれか一項に記載の装置。
【請求項３６】
前記第１の貼り付けユニット（１６）は、前記供給経路（Ｐ）と前記ストリップ（Ｐ）の表面（２５）とに対して交差する形で少なくとも１つの空気ジェットを放出することによって、前記ストリップ（９）上に前記パッチ（７）を吹き付けるための吹き付け手段を備える請求項２２から３５のいずれか一項に記載の装置。
【請求項３７】
前記第１の貼り付けユニット（１６）は、前記第１の貼り付けステーション（１２）において前記ストリップ（９）に対して平行に前記パッチ（７）を維持するための吸引手段を備える請求項３６に記載の装置。
【請求項３８】
前記空気ジェットはほぼ垂直である請求項３６または３７に記載の装置。
【請求項３９】
包装された紙巻き煙草の組（４）を形成するために紙巻き煙草の組（Ｇ）の周りに巻き付けられたヒートシール材料のシート（３′）を備える内側包装材（３）と、前記包装された紙巻き煙草の組（４）の周りに巻き付けられた、好ましくは薄い板紙である外側容器（５）とを備える、紙巻き煙草パッケージを生産する装置（１）であって、
ヒートシール材料のストリップ（９）を、供給経路（Ｐ）に沿って、スリット形成ステーション（１１）と第１の貼り付けステーション（１２）との中を通して切断ステーション（１０）に供給するコンベヤ（８）と、
前記ストリップ（９）内にスリット（６）を形成するための、前記スリット形成ステーション（１１）に配置されている作業ユニット（１５）と、
前記スリット（６）上に接着性パッチ（７）を貼り付けるための、前記第１の貼り付けステーション（１２）に配置されている第１の貼り付けユニット（１６）と、
前記スリット（６）と前記パッチ（７）とが付いた前記シート（３′）を前記ストリップ（９）から切断するための、前記切断ステーション（１０）に配置されている切断アセンブリ（４２）と、
前記包装された紙巻き煙草の組（４）を形成するために前記紙巻き煙草の組（Ｇ）の周りに前記シート（３′）を巻き付ける巻き付けアセンブリ（４３）と、
前記紙巻き煙草の組（Ｇ）の周りに巻き付けられた前記シート（３′）の重なり合い部分（Ｔ）を封止する封止アセンブリ（４４）と、
前記外側容器（５）の内側に前記包装された紙巻き煙草の組（４）を挿入する包装アセンブリ（５０）
とを含む紙巻き煙草パッケージを生産する装置において、
前記ストリップ（９）上の前記パッチ（７）の存在を検出するための、前記供給経路（Ｐ）に沿って前記第１の貼り付けステーション（１２）から下流に配置されている検出ユニット（１８）と、前記検出ユニット（１８）が使用時に前記スリット（６）上でパッチ（７）を検出しない場合に、前記スリット（６）上に前記パッチ（７）を貼り付けるための、前記供給経路（Ｐ）に沿って前記検出ユニット（１８）から下流に配置されている第２の貼り付けユニット（１７）とを備えることを特徴とする紙巻き煙草パッケージを生産する装置。
【請求項４０】
紙巻き煙草の組（Ｇ）の周りに巻き付けられたヒートシール材料のシート（３′）を備える内側包装材（３）を備える、紙巻き煙草パッケージを生産する装置（１）であって、
ヒートシール材料のストリップ（９）を、供給経路（Ｐ）に沿って、スリット形成ステーション（１１）と貼り付けステーション（１２、１３）との中を通して切断ステーション（１０）に供給するコンベヤ（８）と、
前記ストリップ（９）内にスリット（６）を形成するための、前記スリット形成ステーション（１１）に配置されている作業ユニット（１５）と、
前記スリット（６）上に接着性パッチ（７）を貼り付けるために、前記貼り付けステーション（１２、１３）に配置されている貼り付けユニット（１６、１７）と、
前記スリット（６）と前記パッチ（７）とが付いた前記シート（３′）を前記ストリップ（９）から切断するための、前記切断ステーション（１０）に配置されている切断アセンブリ（４２）と、
包装された紙巻き煙草の組（４）を形成するために前記紙巻き煙草の組（Ｇ）の周りに前記シート（３′）を巻き付ける巻き付けアセンブリ（４３）と、
前記紙巻き煙草の組（Ｇ）の周りに巻き付けられた前記シート（３′）の重なり合い部分（Ｔ）を封止する封止アセンブリ（４４）
とを含む紙巻き煙草パッケージを生産する装置において、
前記コンベヤ（８）は、前記貼り付けステーション（１２、１３）の中を通して前記ストリップ（９）を供給する吸引ベルト（３５）を備えることを特徴とする紙巻き煙草パッケージを生産する装置。
【請求項４１】
ヒートシール材料のシート（３′）を備える内側包装材（３）を備える、紙巻き煙草パッケージを生産する装置（１）であって、
前記包装された紙巻き煙草の組（４）を形成するために紙巻き煙草の組（Ｇ）の周りに前記シート（３′）を巻き付ける巻き付けアセンブリ（４３）と、
前記紙巻き煙草の組（Ｇ）の周りに巻き付けられた前記シート（３′）の重なり合い部分（Ｔ）を封止する封止アセンブリ（４４）
とを含む紙巻き煙草パッケージを生産する装置において、
前記封止アセンブリ（４４）は、少なくとも１つの振動電磁界発生器（４７）と、非導電性材料の少なくとも１つの可動部材（４８）と、前記重なり合い部分（Ｔ）を適正に重なり合った状態に保つように、前記可動部材（４８）を移動させて前記重なり合い部分（Ｔ）と接触させる駆動手段（４９）とを備え、前記発生器（４７）は実質的に固定されていることを特徴とする紙巻き煙草パッケージを生産する装置。
【請求項４２】
紙巻き煙草の組（Ｇ）の周りに巻き付けられたヒートシール材料のシート（３′）を備える内側包装材（３）を備える、紙巻き煙草パッケージ（２）を生産する装置（１）であって、
ヒートシール材料のストリップ（９）を、供給経路（Ｐ）に沿って、スリット形成ステーション（１１）と貼り付けステーション（１２、１３）との中を通して切断ステーション（１０）に供給するコンベヤ（８）と、
前記ストリップ（９）内にスリット（６）を形成するための、前記スリット形成ステーション（１１）に配置されている作業ユニット（１５）と、
前記スリット（６）上に接着性パッチ（７）を貼り付けるための、前記貼り付けステーション（１２、１３）に配置されている貼り付けユニット（１６、１７）と、
前記スリット（６）と前記パッチ（７）とが付いた前記シート（３′）を前記ストリップ（９）から切断するための、前記切断ステーション（１０）に配置されている切断アセンブリ（４２）と、
包装された紙巻き煙草の組（４）を形成するために前記紙巻き煙草の組（Ｇ）の周りに前記シート（３′）を巻き付ける巻き付けアセンブリ（４３）と、
前記紙巻き煙草の組（Ｇ）の周りに巻き付けられた前記シート（３′）の重なり合い部分（Ｔ）を封止する封止アセンブリ（４４）
とを含む紙巻き煙草パッケージを生産する装置において、
前記貼り付けユニット（１６、１７）は、前記供給経路（Ｐ）と前記ストリップ（Ｐ）の表面（２５）とに対して交差する形で少なくとも１つの空気ジェットを放出することによって、前記ストリップ（９）上に前記パッチ（７）を吹き付けるための吹き付け手段を備えることを特徴とする紙巻き煙草パッケージを生産する装置。
【発明の詳細な説明】
【技術分野】
【０００１】
本発明は、紙巻き煙草パッケージを生産する方法および装置に関する。
【０００２】
さらに明確に述べると、本発明は、包装された紙巻き煙草の組を形成するために紙巻き煙草の組の周りに巻き付けられたヒートシール材料シートを備える内側包装材と、包装された紙巻き煙草の組の周りに巻き付けられている、好ましくは薄い板紙で作られている外側容器とを備える、紙巻き煙草パッケージを生産する装置に関する。この装置は、ヒートシール材料のストリップを切断ステーションに供給するコンベヤを備える。この装置は、さらに、そのストリップの中にスリットを形成するようにスリット形成ステーションに配置されている作業ユニットと、パッチを貼り付けるために貼り付けステーションに配置されている貼り付けユニットと、スリット付きのシートをストリップから切断するために切断ステーションに配置されている切断アセンブリと、包装された紙巻き煙草の組を形成するためにその紙巻き煙草の組の周りにシートを巻き付けるための巻き付けアセンブリと、紙巻き煙草の組の周りに巻き付けられたシートの重なり合い部分を封止するための封止アセンブリと、外側容器の内側に包装された紙巻き煙草の組を挿入するための包装アセンブリとを備える。
【背景技術】
【０００３】
上述のタイプの装置を使用して生産されるパッケージの一例が特許文献１に説明されている。
【０００４】
上述のタイプの公知の装置が、パッチ付きシートの比較的に低速の生産と、シート上のパッチおよび／またはスリットの不適正な位置または欠如とを原因とする低品質のパッケージの生産とを含む、幾つかの欠点を有する。
【特許文献１】国際公開第９８／２２３６７号パンフレット
【特許文献２】欧州特許公開第９４９１７４号明細書
【発明の開示】
【発明が解決しようとする課題】
【０００５】
本発明の目的は、上述の欠点を少なくとも部分的に取り除くように設計されており、かつ、これと同時に実現が低コストで容易である、方法および装置を提供することである。
【課題を解決するための手段】
【０００６】
本発明によって、添付されている独立特許請求項において、または、独立特許請求項に直接的または間接的に依存する特許請求項のいずれか１つにおいて特許請求されている、方法および装置が提供される。
【０００７】
以下では、本発明の非限定的な実施形態が、添付図面を参照して例示の形で説明されるだろう。
【発明を実施するための最良の形態】
【０００８】
図１の番号１は、包装された紙巻き煙草の組４を画定するために紙巻き煙草の組Ｇの周りに巻き付けられているヒートシール材料のシート３′（図９）を備える内側包装材３と、包装された紙巻き煙草の組４の周りに巻き付けられている、好ましくは薄い板紙で作られている外側容器５とを備える紙巻き煙草パッケージ２（図８）を生産する装置を全体的に示す。
【０００９】
さらに明確に述べると、シート３′は多層積層材料で作られており、この多層積層材料内では１つまたは複数の層が金属材料を含み、かつ、その他の層がプラスチック材料を含む。シート３′（図９）は、包装材３内の開口を画定する実質的にＵ字形のスリット６と、接着性の表面を有しかつ内側包装材３を閉じるためにスリット６の上に貼り付けられるパッチ７とを備える。
【００１０】
パッケージ２は、特許文献１で説明されているパッケージと実質的に同一であり、この特許文献１は本明細書に引例として組み入れられている。
【００１１】
装置１は、供給経路Ｐに沿って、かつ、スリット形成ステーション１１と、２つの貼り付けステーション１２、１３（図２）と、制御ステーション１４（図７）とを経由して、切断ステーション１０（図１）にヒートシール材料のストリップ９を供給するためのコンベヤ８（図２）を備える。貼り付けステーション１３は貼り付けステーション１２から下流に配置されており、一方、貼り付けステーション１２はスリット形成ステーション１１から下流に配置されており、および、制御ステーション１４は、貼り付けステーション１３から下流に配置されている。
【００１２】
装置１（図２）は、さらに、ストリップ９内にスリット６を形成するためにスリット形成ステーション１１に配置されている作業ユニット１５と、スリット６上にパッチ７を貼り付けるために貼り付けステーション１２に配置されている貼り付けユニット１６と、貼り付けステーション１３に配置されている貼り付けユニット１７と、ストリップ９上のパッチ７の存在を検出するために貼り付けステーション１２、１３の間に配置されている検出ユニット１８とを備える。
【００１３】
実際の使用においては、ストリップ９は、パッチ７とスリット６とが付いたシート３′をストリップ９から分離するために、切断ステーション１０において切断される。
【００１４】
装置１は、さらに、センサ２０がスリット６上でパッチ７を検出しない時に貼り付けユニット１７を起動するために、検出ユニット１８のセンサ２０に接続されている中央制御ユニット１９も備える。
【００１５】
貼り付けユニット１６から下流に貼り付けユニット１７を設けることが、装置１の高速度の動作を可能にする。この関連において、ストリップ９に対するパッチ７の貼り付けが比較的低速の作業であり、および、貼り付けユニット１６、１７の一方だけでは、ストリップ９が高速度で供給される時に、連続したスリット６にパッチ７を適正に貼り付けることが保証されないということを指摘することが重要である。さらに、貼り付けユニット１６から下流に貼り付けユニット１７を設けることが、紙巻き煙草パッケージ２の生産を中断することなしに保守点検（貼り付けユニットのクリーニング、パッチ７を剥離可能な形で支持するストリップのリール３９の交換）のために操作員が貼り付けユニットのどちらか一方を一時的に停止させることを可能にする。
【００１６】
作業ユニット１５はローラ２１を備え、このローラ２１は、それぞれの軸２２の周りを回転し、かつ、スリット６を形成するために軸２２の周りを回転してストリップ９と接触する公知の周縁ブレード（図示されていない）を有する。
【００１７】
図７を参照すると、制御ステーション１４は、スリット６上のパッチ７の適正な配置を判定するための制御ユニット２３を有する。
【００１８】
制御ユニット２３は、検出器２４と、ストリップ９の上面２５を拡散光で照明するための照明システムとを備え、この照明システムは、経路Ｐの両側にかつストリップ９に平行して配置されている２つの光源２６と、カバー２７（図７に点線で示されている）とを備える。カバー２７は経路Ｐの上方に位置しており、および、経路Ｐと表面２５とに面する下向きに凹形の表面２８を有する。光源２６は、傾斜した光を凹形の表面２８上に方向付け、この表面２８はこの光を反射して表面２５を照明する。
【００１９】
検出器２４は、経路Ｐ上に配置されており、および、カバー２７内の座部の中に収容されている。
【００２０】
拡散光を使用することによって、パッチ７がストリップ９と実質的に同じ色である時にさえ、検出器２４はパッチ７の端縁を検出することが可能である。
【００２１】
制御ユニット２３は、さらに、スリット６上に光を方向付けるための照明装置２９も経路Ｐの下側に備え、および、ストリップ上のスリット６の存在を検出するために、スリット６の中を通る光が検出器２４によって検出される。ストリップ９が制御ステーション１４において上を延びる支持表面Ｓが、照明装置２９からの光が中を通過するスロットＦを有する。検出器２４と、照明装置２９と、スロットＦとが垂直方向に整合していることが好ましい。
【００２２】
カバー２７は、制御ユニット２３に対して操作員が自由に接近することを可能にするために移動可能である。
【００２３】
制御ユニット２３は、さらに、ストリップ９上にプリントされている基準要素３１を検出するためのセンサ３０も備える。
【００２４】
次に、制御ユニット２３の動作を、センサ３０によって要素３１が検出される瞬間に関して説明する。光源２６が閃光を放出し、および、画像が検出器２４によって取得されて中央制御ユニット１９によって処理され、この中央制御ユニット１９には検出器２４が接続されている（検出器２４と中央制御ユニット１９との間の接続は図示されていない）。中央制御ユニット１９は検出値を基準値と比較し、および、検出値が基準値に適合しない場合には誤差信号を放出する。さらに明確に述べると、中央制御ユニット１９は、ストリップ９の端縁３２の位置を、パッチ７の縦方向の端縁３３の（２つの区域Ｌ１、Ｌ２において検出された）位置と比較し、および、パッチ７の横断方向の端縁３４の位置を、（センサ３０によって検出された）要素３１の位置と比較する。
【００２５】
このようにして、制御ユニット２３は、パッチ７がストリップ９に対して縦方向および横断方向において適正に方向付けられておりかつ位置しているかどうかを正確に判定することが可能である。
【００２６】
検出器２４がスロットＦを通過した十分な光を受けることができない時には、スリット６が無いことが表示される。
【００２７】
コンベヤ８（図２）が、貼り付けステーション１２、１３の中を通してストリップ９を供給するための吸引ベルト３５を備え、この吸引ベルトの下方には吸引装置３６（図２に点線で示されている）が配置されている。吸引ベルト３５はストリップ９が経路Ｐに対して交差して移動することを防止し、かつ、これと同時に、貼り付けユニット１６、１７がパッチ７をストリップ９上に置く時に、ストリップ９内に予め形成されているスリット６が押し下げられることを確実なものにし、これによってストリップ９上のパッチ７の非常に正確な貼り付けを確実なものにする。
【００２８】
パッチ７がストリップ９に貼り付けられる場合の精度が、貼り付けユニット１６、１７のこの特有の構造と動作とによって、さらに改善される。
【００２９】
貼り付けユニット１６（図３）は、貼り付け器の頭部３７と、パッチ７を剥離可能な形で支持するストリップ３９を経路Ｐに対する交差方向において貼り付け器の頭部３７に供給するコンベヤ３８とを備える。
【００３０】
実際の使用においては、ストリップ３９は、ストリップ３９からパッチ７を分離させるために、ブレード４０の周りを送り込まれる。貼り付け器頭部３７は、その貼り付け器頭部３７の穿孔された底部表面４１上にパッチ７を保持するための公知の吸引システム（図示されていない）を有する。この表面４１（図４）は経路Ｐ上に配置されており、ほぼ水平であり、および、表面２５に対してほぼ平行である。
【００３１】
貼り付け器頭部３７は、さらに、経路Ｐに対して交差方向に空気ジェットを表面４１を通して放出する。さらに明確に述べると、この空気ジェットは、経路Ｐと表面２５とに対して実質的に垂直な方向において下方に方向付けられており、したがって、パッチ７は表面４１から下方に分離させられて、ほぼ垂直な方向にそれに自体に対して平行に移動する。
【００３２】
貼り付けユニット１７は、貼り付けユニット１６とほぼ同一である。
【００３３】
切断ステーション１０では、公知の切断アセンブリ４２（図１に概略的に示されている）が、ストリップ９から、パッチ７とスリット６とが付いたシート３′を切り離すために、ストリップ９を切断する。
【００３４】
装置１は、さらに、包装された紙巻き煙草の組４を形成するために紙巻き煙草の組Ｇの周りにシート３′を巻き付ける公知の巻き付けアセンブリ４３（図１に概略的に示されている）と、紙巻き煙草の組Ｇの周りに巻き付けられたシート３′の重なり合い部分Ｔを封止するための封止アセンブリ４４とを備える。
【００３５】
封止アセンブリ４４は、車輪４５（図１には連続線で示されており、図５と図６には点線で示されている）を備え、一方、車輪４５は、それぞれの包装された組４を各々が収容するための、幾つかの公知の周縁座部（図示されていない）を備える。
【００３６】
図５と図６を特に参照すると、封止アセンブリ４４は、さらに、車輪４５の互いに反対側に２つの封止ユニット４６も備える。各々の封止ユニット４６は、（概略的に示されている）振動磁界発生器４７と、非導電性材料の可動部材４８と、適正に重なり合った状態にシート３′の上記部分Ｔを保つために、可動部材４８を動かしてシート３′の上記部分Ｔと接触させるアクチュエータ４９とを備える。発生器４７は、実質的に固定された位置に維持される。
【００３７】
発生器４７によって発生される振動磁界は、金属成分を含むシート３′によって、シート３′の特定の区域内に熱を生じさせる。
【００３８】
このようにして、高品質のシールが実現されることが可能であり、一方、シート３′、および／または、このシート３′で包装されている紙巻き煙草（図示されていない）に対する損傷の危険性を低減させる。
【００３９】
これは、発生器４７を移動させないことによって、極めて簡単にかつ低コストで実現される。
【００４０】
発生器４７が油冷されることが好ましい。
【００４１】
図５と図６の実施形態が、各々の封止ユニット４６のための２つのアクチュエータ４９を示しているが、この代わりに、可動部材４８が単一の機械的機構によって駆動されてもよいということが指摘されるべきである。
【００４２】
封止アセンブリ４４の図示されていない実施形態が、電磁誘導方式の封止ユニット４６の代わりに、加熱要素を有する従来通りの封止ユニットを備える。
【００４３】
装置１は、さらに、外側容器５の内側に包装された組４を挿入するための包装アセンブリ５０も備える。
【００４４】
さらに明確に述べると、包装された組４は、予め形成された外側容器５の内側に挿入されてもよく、または、その包装された組４の周りに外側容器５が形成されてもよい。本明細書では、表現「外側容器の内側に包装された紙巻き煙草の組を挿入する」は、上述の選択肢の両方を含む。
【００４５】
図示されていない好ましい実施形態では、ストリップ９のための吸引補償チャンバが、貼り付けステーション１３と制御ステーション１４との間に設けられており、および、例えば、参照のために本明細書に含まれている特許文献２で説明されているタイプである。
【００４６】
図示されていない他の好ましい実施形態では、要素３１の存在を各々が検出するための幾つかのセンサが経路Ｐに沿って配置されており、この場合には、中央制御ユニット１９が、そのセンサの検出に応じて装置１のアセンブリおよびユニットの動作を調節する。
【００４７】
作業ユニットがスリット６を形成する瞬間に関して、装置１の動作を全体的に説明する。この時点では、ストリップ９は、パッチ７がスリット６に貼り付けられる貼り付けステーション１２、１３の中を通して、および、制御ステーション１４の中を通して、経路Ｐに沿って切断ステーション１０に連続的に供給される。シート３′は切断ステーション１０で形成され、および、排除ステーション５１の中を通して供給され、この排除ステーション５１内では、排除ユニット５２が、欠陥のあるシート３′のすべてを取り除く。
【００４８】
排除されない場合には、シート３′は巻き付けアセンブリ４３に送り込まれ、この巻き付けアセンブリ４３は紙巻き煙草の組Ｇの周りにシート３′を巻き付けて、包装された組４を形成する。その次に、内側包装材３が封止アセンブリ４４によって安定化される。および、最後に、包装された組４が外側容器５の中に挿入される。
【００４９】
図示されていない代案の実施形態では、排除ステーション５１が封止アセンブリ４４から下流に配置されている。
【図面の簡単な説明】
【００５０】
【図１】図１は、本発明による装置の概略的な部分正面図を示す。
【図２】図２は、図１の装置の一部分の略図を示す。
【図３】図３は、図２の一部分の細部の側面図を示す。
【図４】図４は、図３の細部の一部分の下面図を示す。
【図５】図５は、２つの連続した位置における図１の装置のさらに別の細部を示す。
【図６】図６は、２つの連続した位置における図１の装置のさらに別の細部を示す。
【図７】図７は、図１の装置のさらに別の細部を示す斜視図である。
【図８】図８は、図１の装置を使用して生産されるパッケージを示す。
【図９】図９は、図８のパッケージを生産するためのシートを示す。
【図１０】図１０は、図２の一部分のさらに別の細部の上面図を示す。
【符号の説明】
【００５１】
１    紙巻き煙草パッケージの製造装置
２    紙巻き煙草パッケージ
３    内側包装材
３′    ヒートシール材料シート
４    包装された紙巻き煙草の組
５    外側容器
６    Ｕ字形スリット
７    パッチ
８    コンベヤ
９    ヒートシール材料のストリップ
１０    切断ステーション
１１    スリット形成ステーション
１２，１３    貼り付けステーション
１４    制御ステーション
【図１】
2007091345.tif 000003
【図２】
2007091345.tif 000004
【図３】
2007091345.tif 000005
【図４】
2007091345.tif 000006
【図５】
2007091345.tif 000007
【図６】
2007091345.tif 000008
【図７】
2007091345.tif 000009
【図８】
2007091345.tif 000010
【図９】
2007091345.tif 000011
【図１０】
2007091345.tif 000012
【外国語明細書】
2007091345000001.pdf